(57)【要約】【課題】効率的に施工可能なプラットホームの拡幅工法を提供する。【解決手段】プラットホームの拡幅工法は、既設のプラットホームＰ１に隣接して新設のプラットホームＰ２を設置するプラットホームの拡幅工法であって、既設のプラットホームＰ１側に、新設のプラットホームＰ２の新設床構造部材１０を仮置きする仮置き工程と、新設のプラットホームＰ２が設置される新設領域Ｒ２に、支持材２０を設置する支持材設置工程と、仮置きされた新設床構造部材１０を新設領域Ｒ２に移動させる新設床構造部材移動工程と、新設床構造部材１０を支持材２０に固定する新設床構造部材の支持材への固定工程と、を備えることを特徴とする。【選択図】図２
2020084633.tif 000002
【特許請求の範囲】
【請求項１】
既設のプラットホームに隣接して新設のプラットホームを設置するプラットホームの拡幅工法であって、
前記既設のプラットホーム側に、前記新設のプラットホームの新設床構造部材を仮置きする仮置き工程と、
前記新設のプラットホームが設置される新設領域に、支持材を設置する支持材設置工程と、
仮置きされた前記新設床構造部材を前記新設領域に移動させる新設床構造部材移動工程と、
前記新設床構造部材を前記支持材に固定する新設床構造部材の支持材への固定工程と、を備えることを特徴とするプラットホームの拡幅工法。
【請求項２】
前記既設のプラットホームは、
基礎に支持され複数の既設床構造部材と、
該複数の既設床構造部材上に、該複数の既設床構造部材にまたがって配置された既設床面材と、を備え、
前記仮置き工程では、前記新設床構造部材を前記複数の既設床構造部材の間に仮置きすることを特徴とする請求項１に記載のプラットホームの拡幅工法。
【請求項３】
前記新設床構造部材を前記既設のプラットホームに固定する新設床構造部材の既設プラットホームへの固定工程を備えることを特徴とする請求項１または２に記載のプラットホームの拡幅工法。
【請求項４】
前記新設床構造部材上に、前記既設のプラットホームの高さと前記新設のプラットホームの高さとを調整するための高さ調整部材を設置する高さ調整部材設置工程と、
該高さ調整部材上に、新設床面材を設置する新設床面材設置工程と、を備え、
前記既設のプラットホームの上面の高さと、前記新設床面材の上面の高さとが同一になることを特徴とする請求項１から３のいずれか一項に記載のプラットホームの拡幅工法。
【発明の詳細な説明】
【技術分野】
【０００１】
本発明は、プラットホームの拡幅工法に関するものである。
【背景技術】
【０００２】
鉄道の軌道切換等に伴うプラットホーム拡幅工事では、既設の軌道上にプラットホームを構築する際、既設の軌道を閉鎖（線閉）した短時間内にプラットホームの床桁やブロック等の部材を施工する必要がある（例えば、下記の特許文献１，２参照）。従来は、線閉時間内で、床桁等の部材の搬入及び機械吊による床桁の設置を行っていた。
【先行技術文献】
【特許文献】
【０００３】
【特許文献１】特開２００７−９５７７号公報
【特許文献２】特開平４−８０４１０号公報
【発明の概要】
【発明が解決しようとする課題】
【０００４】
しかしながら、限られた時間内で床桁を設置するには、揚重機械及び多くの人手が必要であり、施工面・コスト面で不利となるという問題点がある。
【０００５】
そこで、本発明は、上記事情に鑑みてなされたものであり、効率的に施工可能なプラットホームの拡幅工法を提供する。
【課題を解決するための手段】
【０００６】
上記目的を達成するために、本発明は以下の手段を採用している。
すなわち、本発明に係るプラットホームの拡幅工法は、既設のプラットホームに隣接して新設のプラットホームを設置するプラットホームの拡幅工法であって、前記既設のプラットホーム側に、前記新設のプラットホームの新設床構造部材を仮置きする仮置き工程と、前記新設のプラットホームが設置される新設領域に、支持材を設置する支持材設置工程と、仮置きされた前記新設床構造部材を前記新設領域に移動させる新設床構造部材移動工程と、前記新設床構造部材を前記支持材に固定する新設床構造部材の支持材への固定工程と、を備えることを特徴とする。
【０００７】
このように構成されたプラットホームの拡幅工法では、既設のプラットホーム側に新設床構造部材を仮置きしておくことで、新設床構造部材を設置する際には、新設床構造部材を移動させて、新設床構造部材を支持材に固定すればよい。よって、新設床構造部材を設置する当日の作業時間を短縮でき、効率化を図ることができる。
【０００８】
また、本発明に係るプラットホームの拡幅工法では、前記既設のプラットホームは、基礎に支持され複数の既設床構造部材と、該複数の既設床構造部材上に、該複数の既設床構造部材にまたがって配置された既設床面材と、を備え、前記仮置き工程では、前記新設床構造部材を前記複数の既設床構造部材の間に仮置きすることが好ましい。
【０００９】
このように構成されたプラットホームの拡幅工法では、新設床構造部材を移動させる際には、新設床構造部材を新設領域に引き出せばよいため、新設床構造部材の移動を短時間且つ労力を抑えて行うことができる。また、新設床構造部材は既設床面材の下方に仮置きされるため、仮置きされた状態で既設のプラットホームを使用する際に新設床構造部材が邪魔になることがない。
【００１０】
また、本発明に係るプラットホームの拡幅工法は、前記新設床構造部材を前記既設のプラットホームに固定する新設床構造部材の既設プラットホームへの固定工程を備えていてもよい。
【００１１】
このように構成されたプラットホームの拡幅工法では、新設床構造部材は既設のプラットホームに固定されるため、新設床構造部材は安定的に支持される。
【００１２】
また、前新設床構造部材上に、前記既設のプラットホームの高さと前記新設のプラットホームの高さとを調整するための高さ調整部材を設置する高さ調整部材設置工程と、該高さ調整部材上に、新設床面材を設置する新設床面材設置工程と、を備え、前記既設のプラットホームの上面の高さと、前記新設床面材の上面の高さとが同一になってもよい。
【００１３】
このように構成されたプラットホームの拡幅工法では、高さ調整部材を設けることで、既設のプラットホームの上面の高さと新設床面材の上面の高さとが同一となる。よって、既設のプラットホームと新設のプラットホームとの間で段差がなく、使い勝手が良い。
【発明の効果】
【００１４】
本発明に係るプラットホームの拡幅工法によれば、効率的に施工することができる。
【図面の簡単な説明】
【００１５】
【図１】本発明の一実施形態に係るプラットホームの拡幅工法の新設床構造部材移動工程を説明する図である。
【図２】本発明の一実施形態に係るプラットホームの拡幅工法の新設床構造部材の支持材への固定工程を説明する図である。
【発明を実施するための形態】
【００１６】
本発明の一実施形態に係るプラットホームの拡幅工法ついて、図面を用いて説明する。
本実施形態に係るプラットホームの拡幅工法は、既設のプラットホームに隣接して新設のプラットホームを設置する工事に適用されるものである。
図１は、本発明の一実施形態に係るプラットホームの拡幅工法の新設床構造部材移動工程を説明する図である。
図１に示すように、既設のプラットホームＰ１は、周知の構成であり、例えば、基礎１と、基礎１に支持された複数の既設床桁（既設床構造部材）４と、複数の既設床桁４上に、複数の既設床桁４にまたがって配置された既設床面材５と、基礎１に支持される支柱部２と、支柱部に支持される屋根部３等を有している。
【００１７】
既設床桁４は、所定の水平方向に沿って配置されている。本実施形態では、既設床桁４に延在方向に沿うように、後述する新設床桁１０を引き出す引出Ｘ方向が決定されている。
【００１８】
既設床桁４は、水平方向であって引出Ｘ方向と直交するＹ方向に沿って、間隔を有して複数配置されている。既設床桁４は、例えば鉄骨材が採用されている。
【００１９】
次に、プラットホームの拡幅工法について説明する。
まず、仮置き工程を行う。
上記の基礎１の上面１ｕと既設床面材５の下面４ｄとの空間（床下）Ｓに、新設床桁（新設床構造部材）１０を仮置きしておく。換言すると、新設床桁１０を複数の既設床桁４の（Ｙ方向）間に仮置きする。新設床桁１０は、例えば鉄骨材が採用されている。
【００２０】
新設床桁１０が空間Ｓの高さに納まるように、新設床桁１０の高さを既設床桁４の高さよりも低く設定している。また、新設床桁１０の高さは既設床桁４の高さよりも低いため、新設床桁１０の１本が負担する床荷重が小さくなるように、新設床桁１０のＹ方向の配置間隔（ピッチ）を既設床桁４のピッチよりも短く設定している。例えば、既設床桁４の高さは１７５ｍｍであり、新設床桁１０の高さは１５０ｍｍである。既設床桁４のピッチは３ｍであり、新設床桁１０のピッチは２．５ｍである。
【００２１】
次に、支持材設置工程を行う。
新設のプラットホームＰ２が設置される新設領域Ｒ２に、支持材２０を設置する。支持材２０の上端部２０ｕは、基礎１の上面１ｕと略同一の高さに位置している。支持材２０は、地面から立設された複数の杭基礎２１と、杭基礎２１間に架設された受桁２２と、で構成されていてもよい。なお、支持材２０及び受桁２２は、鉄骨製等周知の構成である。
【００２２】
次に、新設床構造部材移動工程を行う。
仮置きされた新設床桁１０を、新設領域Ｒ２に移動させる。本実施形態では、既設のプラットホームＰ１の空間Ｓに仮置きされた新設床桁１０を、新設領域Ｒ２に引き出す。この際に、引き出した新設床桁１０を立馬Ａ等で支持しておく。
【００２３】
次に、新設床構造部材の支持材への固定工程を行う。
図２は、プラットホームの拡幅工法の新設床構造部材の支持材への固定工程を説明する図である。
図２に示すように、新設床桁１０のうち新設領域Ｒ２側の端部１０ａを、受桁２２にボルト（不図示）等で固定する。
【００２４】
次に、新設床構造部材の既設プラットホームへの固定工程を行う。
新設床桁１０における既設のプラットホームＰ１側の端部１０ｂを、既設のプラットホームＰ１の既設床桁４に固定する。新設のプラットホームＰ２が仮設等の場合には、解体がしやすいように、新設床桁１０と既設床桁４とを、仮設用挟締金具Ｂ等で固定しておいてもよい。なお、新設のプラットホームＰ２が常設の場合には、新設床桁１０と既設床桁４とを、ボルトや溶接（不図示）等で固定しておいてもよい。
【００２５】
次に、高さ調整部材設置工程を行う。
新設床桁１０が空間Ｓの高さに納まるように、新設床桁１０の高さが既設床桁４の高さよりも低くなっている。この高さの差分の高さで形成された高さ調整部材１１を、新設床桁１０の上に設置する。高さ調整部材１１は、例えば鉄骨材が採用されている。
【００２６】
次に、新設床面材設置工程を行う。
高さ調整部材１１上に、新設床面材１２を設置する。新設床面材１２の下面には、高さ調整部材１１上に設置可能な高さ調整脚（不図示）が設けられていてもよい。新設床面材１２の上面１２ｕの高さと既設床面材５の上面５ｕの高さとは、同一になっている。
【００２７】
このように構成されたプラットホームの拡幅工法では、既設のプラットホームＰ１側に新設床桁１０を仮置きしておくことで、新設床桁１０を設置する際には、新設床桁１０を移動させて、新設床桁１０を受桁２２に固定すればよい。よって、新設床桁１０を設置する当日の作業時間を短縮でき、効率化を図ることができる。
【００２８】
例えば、新設床桁１０を設置する前日までに、仮置き工程及び支持材設置工程までを行っておく。新設床桁１０を設置する当日には、線閉した夜間に、新設床構造部材移動工程以降の作業を行えばよい。よって、当日の夜間には、新設床桁１０を工事現場に搬入する作業が不要なため、当日の夜間の作業量及び作業時間が格段に短縮でき、効率化を図ることができる。
【００２９】
また、新設床桁１０を移動する際には、新設床桁１０を新設領域Ｒ２に引き出せばよいため、新設床桁１０の移動を短時間且つ労力を抑えて行うことができる。新設床桁１０を吊り上げて設置する揚重機械が不要となり、省力化を図ることができる。また、新設床桁１０は既設床面材５の下方に仮置きされるため、仮置きされた状態で既設のプラットホームＰ１を使用する際に新設床桁１０が邪魔になることがない。
【００３０】
また、新設床桁１０は既設のプラットホームＰ１の既設床桁４に固定されるため、新設床桁１０は安定的に支持される。
【００３１】
また、高さ調整部材１１を設けることで、既設のプラットホームＰ１の上面５ｕの高さと新設床面材Ｐ２の上面１２ｕの高さとが同一となる。よって、既設のプラットホームＰ１と新設のプラットホームＰ２との間で段差がなく、使い勝手が良い。
【００３２】
なお、上述した実施の形態において示した各構成部材の諸形状や組み合わせ等は一例であって、本発明の主旨から逸脱しない範囲において設計要求等に基づき種々変更可能である。
【００３３】
例えば、上記に示す実施形態では、新設床桁１０は既設のプラットホームＰ１の床下の空間Ｓに仮置きされているが、本発明はこれに限られず、設置スペースがあれば既設のプラットホームＰ１上に仮置きしておいてもよい。
【００３４】
また、上記に示す実施形態では、新設床桁１０は既設のプラットホームＰ１の既設床桁４に固定されているが、本発明はこれに限られない。既設のプラットホームＰ１側にも、新設領域Ｒ２と同様に支持材を設置して、新設床桁１０の既設のプラットホームＰ１側を支持材に固定する構成であってもよい。
【００３５】
また、新設領域Ｒ２に既設の軌道が配置されていてもよい。この場合には、既設の軌道を覆うように新設のプラットホームＰ１が設置されるため、既設の軌道を撤去する必要がない。
【符号の説明】
【００３６】
１…基礎
４…既設床桁（既設床構造部材）
５…既設床面材
１０…新設床桁（新設床構造部材）
１１…高さ調整部材
１２…新設床面材
２０…支持材
２１…杭基礎
２２…受桁
Ｐ１…既設のプラットホーム
Ｐ２…新設のプラットホーム
Ｒ２…新設領域
Ｓ…空間
【図１】
2020084633.tif 000003
【図２】
2020084633.tif 000004